(57)【要約】【課題】排紙トレイや記録用紙トレイの視認性が向上された所謂ウイングレス型の画像読取装置又は画像形成装置を提供する。【解決手段】本コピー・ファクシミリ複合機１００は、記録用紙を収蔵、供給する給紙カセット１と、記録用紙に画像データを記録する画像形成部２と、原稿の画像を読み取る画像読取部３とを具備してなる。記録用紙トレイ１３及び排紙トレイ５２は、記録用紙又は原稿との明度差が略２．０以上となるように着色されている。【選択図】　　　図１
2004010333.tif 000002
【特許請求の範囲】
【請求項１】
上下方向に配置された原稿トレイ及び排紙トレイと、原稿トレイから排紙トレイへ原稿を導く略Ｕ字形状の搬送路と、原稿トレイに載置された原稿を搬送路を経て排紙トレイへ搬送する搬送手段と、前記搬送路を搬送されている原稿の画像を読み取る読取手段とを具備してなる画像読取装置において、前記排紙トレイは、原稿との明度差が略２．０以上となるように着色されたものであることを特徴とする画像読取装置。
【請求項２】
前記排紙トレイの明度は略７．５以下であることを特徴とする請求項１に記載の画像読取装置。
【請求項３】
前記原稿トレイの少なくとも一部が透明であることを特徴とする請求項１に記載の画像読取装置。
【請求項４】
前記原稿トレイの一部に、原稿トレイの略上方から前記排紙トレイを視認可能なように切欠部が形成されたものであることを特徴とする請求項１に記載の画像読取装置。
【請求項５】
記録用紙を供給する給紙部と、該記録用紙に画像情報を形成する画像形成部と、原稿の画像情報を読み取る画像読取部とを具備してなり、該画像形成部と画像読取部との間の空間に、画像形成部で画像形成された記録用紙が排出される記録用紙トレイが設けられた画像形成装置において、
前記記録用紙トレイは、記録用紙との明度差が略２．０以上となるように着色されたものであることを特徴とする画像読取装置。
【請求項６】
前記排紙トレイの明度は略７．５以下であることを特徴とする請求項５に記載の画像読取装置。
【発明の詳細な説明】
【０００１】
【発明の属する技術分野】
本発明は、排紙トレイや記録用紙トレイを装置幅内に納めた所謂ウイングレス型の画像読取装置及び画像形成装置に関し、特に、排紙トレイや記録用紙トレイに排出される原稿又は記録用紙の視認性を高めたものに関する。
【０００２】
【従来の技術】
スキャナ等の画像読取装置や、プリンタ、コピー機等の画像形成装置においては、その設置スペースを小さくするために、排紙トレイや記録用紙トレイを装置本体の側方から突出させることなく、装置の胴体内の空間に配設した所謂ウイングレス型のものがある。また、床面積の小さなオフィス等を主な対象として、卓上型の画像形成装置や、スキャナ、ファクシミリ機、コピー機、プリンタ等の各機能を併せ持った複合機も提案されている。これら各装置によって省スペース化が図られ、オフィス等が狭いために複数の装置を併設できないという問題が解消される。
【０００３】
【発明が解決しようとする課題】
前述した画像読取装置では、読み取るべき原稿を載置する原稿トレイと、読取り後の原稿が排出される排紙トレイとが上下方向に配置され、一方、画像形成装置では、画像読取部と画像形成部との間の空間に記録済みの記録用紙を排出する記録用紙トレイが配設された構成となっているが、装置の小型化のために、原稿トレイと排紙トレイとの間の隙間や、画像読取部と画像形成部との間の空間は、狭いものが多い。また、装置手前側には、操作の便宜上、操作パネルや記録用紙をストックする記録用紙カセットが優先的に配置されており、記録用紙トレイから記録用紙を取り出すための開口部は、装置側方に形成されていることが多い。このため、排紙トレイ上の原稿又は記録用紙トレイ上の記録用紙の視認性が悪いという欠点がある。
【０００４】
かかる欠点を改善するために、装置手前側の操作パネル等の一部を切り欠いて、記録用紙トレイの視認性を高めた画像形成装置が考案されている（特開平９−３２５５４８号公報）。該装置によれば、装置上方から、操作パネル側方の空間を通じて記録用紙トレイを視認することが可能となり、記録用紙が排出されたかどうかを屈み込んで確認する必要がないという利点がある。
【０００５】
しかし、前記操作パネル側方に形成可能な空間は小さなものであるため、所謂ウイング型の画像形成装置のように記録用紙トレイ全体が見えるわけではなく、視認性が改善される効果は限定的である。例えば、画像形成装置が机等の通常の作業位置から離れた場所に設置されている場合に、ファクシミリ送信の有無等を作業位置から確認できれば便利であるが、前記空間を形成したとしても、このような状況下での視認性は殆ど向上されない。従って、ファクシミリ受信を記録した記録用紙が排出されているか否かを離れた位置から目視確認することは未だ困難であり、画像形成装置近傍まで近寄って確認するか、別途、着信ランプを設けること等が必要となる。
一方、スキャナ等の画像読取装置を使用する場合には、読取り済みの原稿を取り忘れることがよくあるが、前述したように排紙トレイの大部分が原稿トレイで覆われているため、排紙トレイの視認性が悪く、原稿の取り忘れが助長されるという問題もある。
【０００６】
本発明は、これらの問題に鑑みてなされたものであり、排紙トレイや記録用紙トレイの視認性が向上された所謂ウイングレス型の画像読取装置又は画像形成装置を提供することを目的とする。
【０００７】
【課題を解決するための手段】
本発明者は、原稿や記録用紙は一般に白色であるのに対し、画像読取装置や画像形成装置も白色系を基調としたものが多いこと、特に、原稿や記録用紙が記録面を伏せて、所謂フェイスダウンにして排出される場合には、排紙トレイ又は記録用紙トレイと原稿等が視覚的に同化してしまうことが視認性の悪さの原因であることを見出し、本発明を完成するに至った。
【０００８】
即ち、本発明に係る画像読取装置は、上下方向に配置された原稿トレイ及び排紙トレイと、原稿トレイから排紙トレイへ原稿を導く略Ｕ字形状の搬送路と、原稿トレイに載置された原稿を搬送路を経て排紙トレイへ搬送する搬送手段と、前記搬送路を搬送されている原稿の画像を読み取る読取手段とを具備してなる画像読取装置において、前記排紙トレイは、原稿との明度差が略２．０以上となるように着色されたものである。
【０００９】
かかる明度差によって、排紙トレイ上の原稿の有無を容易に視認できるようになる。ここで、明度とは、人の視覚で感知できる色彩を構成する三要素の一つであって、明るさ、即ち光の強弱の度合いを示すものである。該明度を規定するものとして、例えば色見本（マンセルカラーシステム）があり、前記明度差とは当該色見本等で規定される原稿の明度と排紙トレイの明度との差である。また、原稿や記録用紙に一般的に用いられる紙の明度が略９．５程度であることから、前記排紙トレイの明度は、略７．５以下であることが好ましい。また、排紙トレイの着色は、排紙トレイ全面にされる必要はなく、排出された原稿が着色部の一部を覆うように着色されていればよい。
【００１０】
さらに、前記原稿トレイの少なくとも一部が透明であること、又は前記原稿トレイの一部に、原稿トレイの略上方から前記排紙トレイを視認可能なように切欠部が形成されたものであることが好適である。これにより、原稿との明度差により視認性が高められた排紙トレイを装置上方からも容易に目視可能となり、排紙トレイの視認性が一層向上される。前記透明部又は切欠部は、Ｂ５サイズ（ＪＩＳ規格Ｂ列５番）やＡ５サイズ（ＪＩＳ規格Ａ列５番）等のサイズの小さな原稿をも容易に視認できるように、当該サイズの原稿が排出される位置の上方に設けることが好ましい。
【００１１】
また、本発明に係る画像形成装置は、記録用紙を供給する給紙部と、該記録用紙に画像情報を形成する画像形成部と、原稿の画像情報を読み取る画像読取部とを具備してなり、該画像形成部と画像読取部との間の空間に、画像形成部で画像形成された記録用紙が排出される記録用紙トレイが設けられた画像形成装置において、前記記録用紙トレイは、記録用紙との明度差が略２．０以上となるように着色されたものである。また、前記排紙トレイの明度は略７．５以下であることが好ましい。これにより、離れた位置からも明度差によって記録用紙トレイ上の記録用紙の有無を容易に視認できるようになる。
【００１２】
【発明の実施の形態】
以下、本発明の実施の形態に係る画像読取装置及び画像形成装置を図面に基づき具体的に説明する。なお、本実施の形態は本発明の一例にすぎず、本発明の構成が該画像読取装置及び画像形成装置に限定されるものでないことは当然である。
【００１３】
図１及び図２は、本実施の形態に係る画像読取装置及び画像形成装置を具備するコピー・ファクシミリ複合機の外観を示す斜視図であり、図３は、該コピー・ファクシミリ複合機の内部構成を示す図である。図に示すように、本コピー・ファクシミリ複合機１００は、記録用紙を収蔵、供給する給紙カセット（給紙部）１と、記録用紙に画像データを記録する画像形成部２と、原稿の画像を読み取る画像読取部３とを具備してなるものであって、原稿トレイ５０、排紙トレイ５２、及び記録用紙トレイ１３が本体の幅内に収められた所謂ウイングレス型のものであり、卓上に設置できるようにコンパクトに構成されている。
【００１４】
前記給紙カセット１は、所望のサイズの記録用紙が収蔵されるものであり、コピー・ファクシミリ複合機１００の正面手前側に引き出して、所望のサイズの記録用紙を装填することができるようになっている。このような給紙カセット１が上下方向に重ねられるように配置されており、各給紙カセット１にサイズの異なる記録用紙を収蔵することが可能である。なお、給紙カセット１は、本コピー・ファクシミリ複合機１００のオプションとして適宜増減することができる。各給紙カセット１の底部には、図３に示すように、記録用紙を上方へ持ち上げるためにバネ等により上方へ付勢されたはね板１０が夫々設けられており、給紙カセット１の上部には、ピックアップローラ１１が夫々配設されており、前記はね板１０により上方へ付勢された記録用紙の最上紙がピックアップローラ１１と当接し、該ピックアップローラ１１が回転することにより、記録用紙は最上紙から１枚ずつ記録用紙搬送路１２へ繰り出されるものとなっている。
【００１５】
画像形成部２は、図３に示すように、前記給紙カセット１から給紙された記録用紙を記録用紙トレイ１３へ搬送するための記録用紙搬送路１２に、トナーカートリッジ２０、ドラムカートリッジ３０、転写ローラ３１、及び定着ユニット４０が配置されてなるものである。また、記録用紙搬送路１２には、記録用紙を搬送するためのフィードローラ１４が適宜配置されている。図には詳細に示していないが、トナーカートリッジ２０やドラムカートリッジ３０はコピー・ファクシミリ複合機１００に対して着脱可能であり、トナー交換やジャムの解消等のメンテナンスが容易となっている。なお、本実施の形態のようにトナーカートリッジ２０やドラムカートリッジ３０を別個独立のものとせずに、例えば、感光体ドラムや、帯電ブラシ、ＬＥＤヘッド、現像ローラ、トナー容器等をプロセスカートリッジとして一体的に構成して、コピー・ファクシミリ複合機１００に対して着脱可能とすることもできる。
【００１６】
図４は、前記画像形成部２の詳細な構成を示す部分拡大図であるが、図に示すように、前記トナーカートリッジ２０は、トナーを撹拌するためのアジテータ２１と、トナーを現像ローラ２３に供給する供給ローラ２２と、帯電したトナーを付着させて感光ドラム３２へ供給する現像ローラ２３と、現像ローラ２３へ付着するトナーを規制する規制ブレード２４とを具備してなる。該トナーカートリッジ２０には予めトナーが充填されており、アジテータ２１により撹拌されながら供給ローラ２２へ供給されたトナーは、現像ローラ２３と供給ローラ２２、及び現像ローラ２３と規制ブレード２４との接触部分にて摩擦帯電されて、現像ローラ２３に付着するようになっている。
【００１７】
前記ドラムカートリッジ３０は、静電潜像が形成される感光ドラム３２と、感光ドラム３２をマイナス帯電させるための帯電ブラシ３３と、感光ドラム３２に光を照射するＬＥＤヘッド３４と、感光ドラム３２の残留トナーを均一にならすメモリ除去ブラシ３５とを具備してなる。感光ドラム３２の表面には有機感光体がコーティングされており、マイナスの高電圧が印加された帯電ブラシからの放電により一様にマイナス帯電される。ＬＥＤヘッド３４は、前記画像読取部３により読み取られた画像情報や受信したファクシミリ画像情報に応じて感光ドラム３２を選択的に照射し、これにより、照射された部分の電荷エネルギーが消失して前記感光ドラム３２に静電潜像が形成される。さらに、該静電潜像に前記現像ローラ２３に付着したトナーが電位差によって移動して、静電潜像が現像される。一方、転写ローラ３１には高電圧が印加されており、電界吸引力により感光ドラム３２上のトナーが記録用紙に転写される。感光ドラム３２上に残留した若干量のトナーはメモリ除去ブラシ３５により感光ドラム３２上で均一に分散され、次の現像時に、現像ローラ２３及び感光ドラム３２の電位差に従って、現像ローラ２３又は感光ドラム３２へ移動する。なお、記録用紙に転写されたトナーは、その後、図示しない除電ブラシにより電位が除かれる。
【００１８】
前記定着ユニット４０は、ヒートローラ４１、プレスローラ４２、及びイグジットローラ４３を備えてなる。トナーが転写された記録用紙が搬送され、ヒートローラ４１及びプレスローラ４２により熱及び圧力が付与されてトナーが記録用紙に熱溶着する。その後、記録用紙はイグジットローラ４３により記録用紙トレイ１３へ排出される。
【００１９】
記録用紙トレイ１３は、図１及び図２に示すように、給紙カセット１と画像読取部３との間の空間に配置されており、記録用紙トレイ１３から記録用紙を取り出すための開口は、各図に矢印で示すように、装置正面側の斜め側方から装置側方に渡って形成されている。従って、記録用紙トレイ１３上に記録用紙が排出されているか否かは、該矢印方向から視認せざるを得ない。また、給紙カセット１と画像読取部３との間の空間は十数センチメートル程度であり、記録用紙トレイ１３の奥側、即ち記録用紙が排出される側にはオフィス等の照明が届き難くい。このため、記録用紙トレイ１３上に記録用紙が排出されているか否かは視認し難いものとなっているが、これを解消するために、記録用紙トレイ１３は、記録用紙との明度差が略２．０以上となるように着色されている。
【００２０】
具体的には、記録用紙に一般的に用いられる紙の明度が略９．５程度であることを考慮して、記録用紙トレイ１３の明度を略７．５以下としている。記録用紙トレイ１３の色相は、当該明度差を満たすものであれば特に限定されるものではないが、一般的に装置本体には白色系が用られることや、オフィスで使用する場合に他の事務機器等との色調のバランスを考慮すれば、グレー系、ダークグレー系、ブルー系、ダークブルー系、グリーン系、ダークグリーン系、パープル系、ダークパープル系の色相を採用することが好適である。このような記録用紙トレイ１３の着色は、例えば、記録用紙トレイ１３として成形加工するＡＢＳ等の合成樹脂に顔料等を添加して着色したり、成形された記録用紙トレイ１３の表面に塗料等を塗布することにより可能である。また、着色されたフィルム状の部材を記録用紙トレイ１３の表面に貼設してもよい。これにより、記録用紙トレイ１３と記録用紙との明度差が明確になって、記録用紙トレイ１３上の記録用紙の有無を容易に視認できるようになり、ファクシミリ受信を記録した記録用紙が排出されているか否かを確認するためにコピー・ファクシミリ複合機１００の近傍まで移動せずとも、例えば机等の作業位置のような遠方からも容易に視認することが可能となる。また、コピーを行った際の記録用紙の取り忘れを防止することもできる。
【００２１】
前記画像読取部３は、自動原稿搬送装置（ＡＤＦ）により原稿を連続給紙しながら画像を読み取るシートスルータイプのスキャナである。以下、詳細に説明するに、図５に示すように、前記画像読取部３は、読み取るべき原稿が載置される給紙トレイ５０と、該原稿の最上紙を取り出して供給するピックアップローラ５１ａ、セパレートローラ５１ｂ、及びリタードローラ５１ｃと、供給された原稿を下方へ反転させながら排紙トレイ５２へ案内する略Ｕ字状の原稿搬送路５３と、原稿搬送路５３に適宜配置されて原稿を搬送するフィードローラ５４と、原稿搬送路５４の最下流側に配置されて原稿を排出するイグジットローラ５５と、原稿搬送路５３の所定位置に配置された読取ユニット（読取手段）５６とを具備してなるものである。
【００２２】
前記給紙トレイ５０と排紙トレイ５２とは、所定の間隙を空けて上下方向に重なるようにして配設されており、前記原稿搬送路５３が、給紙トレイ５０から排紙トレイ５２へ連通するように略Ｕ字状に形成されている。給紙トレイ５０と原稿搬送路５３との連通部分には、ピックアップローラ５１ａ、セパレートローラ５１ｂ、及び５１ｃが夫々配置されており、これらとフィードローラ５４及びイグジットローラ５５とで原稿の搬送手段を構成している。
【００２３】
ピックアップローラ５１ａは、給紙トレイ５０に載置された原稿の最上紙を取り出すためのものであり、揺動アーム５１ｄに軸支されて、給紙トレイ５０の底面に接離可能となっている。該揺動アーム５１ｄは、図示しない給紙クラッチにより上下方向に揺動するものであり、該揺動によりピックアップローラ５１ａは、原稿を載置する場合等の通常の状態では給紙トレイ５０から離されており、原稿取出時に、載置された原稿の最上紙と接触するように降下する。ピックアップローラ５１ａは給紙トレイ５０の底面に接触するまで降下可能であるので、原稿枚数により原稿の束の厚さが変化しても常に最上紙と接触可能である。
【００２４】
一方、セパレートローラ５１ｂとリタードローラ５１ｃとは、各々のローラの表面がニップするように配置されており、セパレートローラ５１ｂは、ピックアップローラ５１ａにより取り出された原稿を原稿搬送路５３に一定速度で送り込むとともに、リタードローラ５１ｃが搬送方向と逆方向へ回転して、原稿の束から最上紙を確実に分離するようになっている。
【００２５】
前記ピックアップローラ５１ａ、セパレートローラ５１ｂ、及びリタードローラ５１ｃは、図示しないモータ等の駆動源により適当なギア等を介して回転されるものであり、また、前記給紙トレイ５０の原稿の有無は、原稿セットセンサ５７により検知されており、該検知信号に基づいてモータやクラッチ等の動作が制御されるものとなっている。
【００２６】
前記フィードローラ５４も同様にモータ等の駆動源により回転されるものであり、各フィードローラ５４には、原稿搬送路５３を挟んだ対向位置にプレスローラ５８が配設されて、フィードローラ５４とプレスローラ５８とで原稿をニップし、フィードローラ５４の回転により原稿を搬送するものとなっている。また、イグジットローラ５５も同様にモータ等の駆動源により回転されるものであり、一対のイグジットローラ５５が原稿搬送路５３を挟むようにして配設されている。
【００２７】
前記読取ユニット５６は、原稿搬送路５３に近接するように設けられた透明なプラテンガラス６０と、該プラテンガラス６０を通して、原稿搬送路５３を搬送される原稿に光を照射する光源６１と、原稿からの反射光を所定の方向へ導くための反射ミラー６２と、該反射光を収束させるレンズ６３と、収束光を電気信号に変換する電荷結合素子６４（Ｃｈａｒｇｅ　Ｃｏｕｐｌｅ　Ｄｅｖｉｃｅ、以下「ＣＣＤ」という。）とを備えてなる所謂ＣＣＤイメージセンサであり、図に示すように、原稿搬送路５３の下方に配設されている。読取ユニット５６の上流側の所定位置にはリードセンサ５９が配置されており、原稿搬送路５３を搬送される原稿を検知し、該検知信号に基づいて、読取ユニット５６の原稿の読取動作が制御されるものとなっている。即ち、リードセンサ５９が原稿有りを検知してから所定カウント後に読取ユニット５６が画像読取りを開始し、リードセンサ５９が原稿無しを検知してから所定カウント後に読取ユニット５６が画像読取りを終了する。
【００２８】
なお、本実施の形態では読取ユニット５６に縮小光学系のＣＣＤを採用しているが、これに代えて所謂密着形イメージセンサ（Ｃｏｎｔａｃｔ　Ｉｍａｇｅ　Ｓｅｎｓｏｒ、以下「ＣＩＳ」という。）を採用することもできる。ＣＩＳを採用することにより、装置を一層コンパクトなものとすることが可能となる。また、本実施の形態では読取ユニット５６を固定式のシートスルータイプのスキャナとしたが、プラテンガラスが設けられた読取載置台において、ＣＣＤ等が水平方向に移動して該プラテンガラス上の静止原稿等を読み取るフラットベッドタイプのスキャナと併用させてもよいことは当然である。
【００２９】
このように構成された画像読取部３は、操作部４のスタートボタンが押されることにより原稿の画像読取りを開始する。詳細には、給紙トレイ５０に載置された原稿は、ピックアップローラ５１ａ、セパレートローラ５１ｂ、リタードローラ５１ｃにより最上紙の原稿から１枚ずつ原稿搬送路５３へ送られ、該原稿がフィードローラ５４により、読取ユニット５６上に搬送される。読取ユニット５６は、リードセンサ５９の検知信号に基づいて画像読取りを行い、画像読取りが終了した原稿は、原稿搬送路５３をさらに搬送されて、イグジットローラ５５により排紙トレイ５２へ排出される。
【００３０】
なお、詳細な説明は省略するが、読み取られた画像データは、Ａ／Ｄ変換回路、画像処理回路等で適宜信号処理されて制御部に出力され、画像形成部２により記録用紙に記録され、又はＣＯＤＥＣ等を介してファクシミリ送信されるようになっている。
【００３１】
前記排紙トレイ５２は、図６に示すように、原稿トレイ５０の下方に配置されているため、排紙トレイ５２上に排出された原稿の大部分は、原稿トレイ５０に隠蔽された状態となり、装置上方からは視認し難いものとなっている。これを解消するために、前記記録用紙トレイ１３と同様に、排紙トレイ５２は原稿との明度差が略２．０以上となるように着色されている。即ち、前述と同様に、原稿に一般的に用いられる紙の明度が略９．５程度であることから、排紙トレイ５２の明度が略７．５以下となるように着色されており、その色相にはグレー系、ダークグレー系、ブルー系、ダークブルー系、グリーン系、ダークグリーン系、パープル系、ダークパープル系を採用することが好適であり、前記記録用紙トレイ１３の色相と合せることが特に好ましい。
【００３２】
一方、原稿トレイ５０の中央付近には、略円形の切欠部５０ａが形成されている。該切欠部５０ａは、排紙トレイ５２上に排出された原稿が視認可能な位置及び大きさであり、これにより、操作者は原稿トレイ５０の上方から該切欠部５０ａを通じて排紙トレイ５２を視認することが可能となる。また、切欠部５０ａは、事務書類等で多く用いられるＡ４サイズの原稿が原稿トレイ５０に載置された場合にも、該原稿によりすべて隠蔽されることのない位置及び大きさに形成されている。これにより、読取り前の原稿が原稿トレイ５０に残っている状態でも、切欠部５０ａを通じて排紙トレイ５２を視認することが可能である。さらに、排紙トレイ５２は、前述したように原稿との明度差が略２．５以上となるように着色されているので、排紙トレイ５２上の原稿の有無が明度差により容易に視認できる。よって、ファクシミリ送信やコピーを行った際の原稿の取り忘れを防止することができる。
【００３３】
なお、前記原稿トレイ５０に形成した切欠部５０ａの形状は一例であり、その他の形状を採用することもできる。例えば、図７（ａ）に示すように、原稿トレイ５０の先端部から基端部へ所定幅の切欠部５０ｂを形成するようにしてもよい。このように、原稿のサイズ方向に長い切欠部５０ｂを形成することにより、種々のサイズの原稿が排紙トレイ５２へ排出されても、各原稿の端部を切欠部５０ｂを通じて視認することができ、排紙トレイ５２と原稿との明度差が一層視認し易くなる。また、切欠部５０ｂの切込み深さを、Ａ５サイズのような小さな原稿の排出位置の上方に至るように、即ち原稿トレイ５０の基端側近傍に至るようにすることにより、サイズが小さく原稿トレイ５０にすっかり隠蔽されるような原稿も、該切欠部５０ｂを通じて視認可能となるので好ましい。
【００３４】
また、前記切欠部５０ａに代えて、原稿トレイ５０に透明部５０ｃを設けるようにしてもよい。図７（ｂ）に一例を示すが、原稿トレイ５０をアクリル樹脂等の透明材を用いて成形し、前記切欠部５０ａと略同位置を円形の透明部５０ｃとし、それ以外の部分はシボ加工により半透明となっている。これにより、前記切欠部５０ａと同様に、原稿の端部を透明部５０ｃを透して視認することができ、排紙トレイ５２と原稿との明度差が一層視認し易くなる。なお、前記透明部５０ｃを設ける位置や大きさも一例であり、例えば前記切欠部５０ｂと同様に、原稿のサイズ方向に長く、且つ原稿トレイ５０の基端側にも設けることにより、種々のサイズの原稿を透明部５０ｃを通して視認可能となるので好ましい。勿論、原稿トレイ５０すべてを透明としてもよい。また、原稿トレイ５０をＡＢＳ樹脂等により、前記透明部５０ｃをアクリル樹脂等により夫々成形して、両者を嵌め合せ等することにより、原稿トレイ５０に透明部５０ｃを形成するようにしてもよい。
【００３５】
なお、本実施の形態では、前記記録用紙トレイ１３及び排紙トレイ５２の表面全体を着色した例を示したが、必ずしもこれら全面を着色する必要はなく、例えば図８に示すように、記録用紙トレイ１３又は排紙トレイ５２の一部に、記録用紙又は原稿の排出方向に延びる帯状の着色部１３ａ、５２ａを設けるものとしてもよい。これにより前述と同様に、該着色部１３ａ、５２ａ上に記録用紙又は原稿が排出され、着色部１３ａ、５２ａと記録用紙又は原稿との明度差によって視認性が向上される
【００３６】
また、本実施の形態ではコピー・ファクシミリ複合機１００を例に本発明を説明したが、本発明に係る画像読取装置及び画像形成装置は当該複合機に限定されるものではなく、コピー装置、ファクシミリ装置、スキャナ、プリンタ等の各機能を単体で持つ装置や、任意の機能を併せ持つ複合機において利用可能なことは当然である。
【００３７】
【発明の効果】
このように、本発明に係る画像読取装置又は画像形成装置によれば、排紙トレイ又は記録用紙トレイを、原稿又は記録用紙との明度差が略２．０以上となるように着色されたものとしたので、かかる明度差によって視認性が向上され、排紙トレイ又は記録用紙トレイ上の原稿又は記録用紙の有無を容易に確認できるようになる。これにより、原稿や記録用紙の取り忘れが防止され、ファクシミリ受信やプリントアウトの有無を遠方からも容易に確認することができ便利である。また、排紙トレイ又は記録用紙トレイ等に使用させる樹脂の着色は容易であり、その形状や従来の装置の形状を変更する必要がないので、コストアップが少ないという利点もある。
【図面の簡単な説明】
【図１】本発明の実施の形態に係るコピー・ファクシミリ複合機１００の正面側の外観構成を示す概略斜視図である。
【図２】コピー・ファクシミリ複合機１００の背面側の外観構成を示す概略斜視図である。
【図３】コピー・ファクシミリ複合機１００の内部構成を示す図である。
【図４】画像形成部２の詳細な構成を示す図である。
【図５】画像読取部３の詳細な構成を示す図である。
【図６】コピー・ファクシミリ複合機１００の平面図である。
【図７】（ａ）は別形状の切欠部５０ｂを示す平面図であり、（ｂ）は透明部５０ｃを設けた例を示す平面図である。
【図８】（ａ）は記録用紙トレイ１３の一部に着色部１３ａを設けた例を示す斜視図であり、（ｂ）は排紙トレイ５２の一部に着色部５２ａを設けた例を示す平面図である。
【符号の説明】
１００　コピー・ファクシミリ複合機
１　給紙カセット（給紙部）
１３　記録用紙トレイ
２　画像形成部（画像形成装置）
３　画像読取部（画像読取装置）
５０　原稿トレイ
５０ａ、５０ｂ　切欠部
５０ｃ　透明部
５１ａ　ピックアップローラ（搬送手段）
５１ｂ　セパレートローラ（搬送手段）
５１ｃ　リタードローラ（搬送手段）
５２　排紙トレイ
５３　原稿搬送路
５４　フィードローラ（搬送手段）
５５　イグジットローラ（搬送手段）
５６　読取ユニット（読取手段）
【図１】
2004010333.tif 000003
【図２】
2004010333.tif 000004
【図３】
2004010333.tif 000005
【図４】
2004010333.tif 000006
【図５】
2004010333.tif 000007
【図６】
2004010333.tif 000008
【図７】
2004010333.tif 000009
【図８】
2004010333.tif 000010